(57)【要約】【目的】  リッピングが済んだ記録媒体の再生を継続しながら複数記録媒体のリッピングを行なえるようにする「記録再生方法及び記録再生装置」を提供する。【構成】  第１の記録媒体１１1に記録されている非圧縮データの第2記録媒体１２への圧縮記録が完了したか監視し、圧縮記録が完了した時、非圧縮データを再生する第１再生モードから、第２の記録媒体１２に記録されている圧縮データを伸長して再生する第２再生モードに切り替え、第２再生モードで再生しながら、別の第1の記録媒体１１2に記録されている非圧縮データを第２の記録媒体１２に圧縮記録する。【選択図】        図１
2005228391.tif 000002
【特許請求の範囲】
【請求項１】
第１の記録媒体に記録されている非圧縮データを再生しながら該第１の記録媒体に記録されている非圧縮データを圧縮して第２の記録媒体に記録する記録再生方法において、
第１の記録媒体に記録されている非圧縮データの第２記録媒体への圧縮記録が完了したか監視し、
圧縮記録が完了した時、非圧縮データを再生する第１再生モードから、第２の記録媒体に記録されている圧縮データを伸長して再生する第２再生モードに切り替え、
前記第２再生モードで再生しながら、別の第１の記録媒体に記録されている非圧縮データを第２の記録媒体に圧縮記録する、
ことを特徴とする記録再生方法。
【請求項２】
前記圧縮記録が完了したことを、音声によりあるいは表示により出力すると共に、前記第１の記録媒体を排出する、
ことを特徴とする請求項１記載の記録再生方法。
【請求項３】
圧縮記録が完了した後、前記第１再生モードによる再生中トラックの再生が完了したことを検出してから第２再生モードに切り替えを行なう、
ことを特徴とする請求項１記載の記録再生方法。
【請求項４】
再生モード切り換えに先立ってオーディオミュートを掛ける、
ことを特徴とする請求項３記載の記録再生方法。
【請求項５】
第1の記録媒体に記録されている非圧縮データを再生しながら該第１の記録媒体に記録されている非圧縮データを圧縮して第２の記録媒体に記録する記録再生装置において、
第１の記録媒体に記録されている非圧縮データの第２記録媒体への圧縮記録が完了したか監視する手段、
第２の記録媒体に記録されている圧縮データを読み出して伸長する手段、
圧縮記録が完了した時、非圧縮データを再生する第１再生モードから、第２の記録媒体に記録されている圧縮データを伸長して再生する第２再生モードに切り替える再生モード切替手段、
前記第１再生モード、第２再生モードで再生を行なう再生手段、
を備えたことを特徴とする記録再生装置。
【請求項６】
前記再生モード切替手段は、前記第１再生モードによる再生中トラックの再生が完了したことを検出して前記第２の再生モードへ切り替えを行なう、
ことを特徴とする請求項６記載の記録再生装置。
【請求項７】
前記再生モード切替手段は、再生モード切り換えに先立ってオーディオミュートを掛ける、ことを特徴とする請求項７記載の記録再生装置。
【請求項８】
前記圧縮記録が完了したことを音声によりあるいは表示により出力すると共に、前記第１の記録媒体を排出する手段を備えた請求項５記載の記録再生装置。
【発明の詳細な説明】
【技術分野】
【０００１】
本発明は記録再生方法及び記録再生装置に係わり、特に第１の記録媒体に記録されている非圧縮データを再生しながら第1の記録媒体に記録されている非圧縮データを圧縮して第2の記録媒体に記録する記録再生方法及び記録再生装置に関する。
【背景技術】
【０００２】
従来から、第1の記録媒体(たとえば音楽ＣＤ)に記録されている非圧縮データを再生しながら該第1の記録媒体に記録されている非圧縮データを圧縮して第２の記録媒体(たとえばハードディスク)に記録する記録再生装置が提案されている。この記録再生装置(第１従来技術)では、音楽ＣＤからＮ倍速で非圧縮の全オーディオデータをハードディスクに記録し、該非圧縮データを圧縮して圧縮データをハードディスクに記録すると共に、並行して音楽ＣＤから通常速度で音楽データを読み出しながら再生する。
【０００３】
また、従来技術として、高速に記録することを可能とし、かつ記録済みのデータの再生を可能にした記録再生装置がある（たとえば、特許文献1参照）。この第２の従来技術の記録再生装置では、第1の記録媒体(たとえば音楽ＣＤ)に記録されている非圧縮データを高速で読み出して第２の記録媒体(たとえばハードディスク)に記録し、該第2の記録媒体から該非圧縮データを読み出して再生しながら、あるいは第２の記録媒体に記録済みの圧縮データを伸長して再生しながら、第２の記録媒体に記録されている非圧縮データを圧縮して該第２の記録媒体に記録する。
【特許文献１】特開２００１−２１０００７号公報
【発明の開示】
【発明が解決しようとする課題】
【０００４】
ユーザによっては複数枚の音楽ＣＤに記録されている非圧縮の音楽データを大容量のハードディスクに連続して高速記録（リッピング）したい場合がある。かかる複数ＣＤリッピングにおいて、あるＣＤを再生しながら該CDの高速リッピングが終了したところで、次のCDをつづけてリッピングするには、(1) 聴いているＣＤの再生を途中で終了するか、(2) 該ＣＤの全曲再生が終了してからＣＤを取り出し、次のＣＤを装着して高速リッピングを行なう、のいずれかの方法によらなければならない。
【０００５】
しかし、 (1)の方法では、それまで聴いているＣＤの続きを聴きながらリッピングすることができない。また、(2)の方法では、次のＣＤリッピングを開始するまでに長時間を必要とする。すなわち、従来技術ではリッピング済みのＣＤを連続的に再生しながら複数ＣＤのリッピングができない問題がある。
なお、前述の第２の従来技術は記録済みの圧縮データを伸長して再生することを開示しているが、複数枚の音楽ＣＤに記録されている非圧縮の音楽データをそれまで聴いているＣＤの続きを聴きながら高速記録（リッピング）する方法については何も開示していない。
【０００６】
以上から本発明の目的は、リッピング済み記録媒体（ＣＤ）の再生を継続しながら複数記録媒体（ＣＤ）のリッピングを行なうことである。
本発明の別の目的は、再生音の不連続が発生しないようにして複数記録媒体（ＣＤ）のリッピングを行なうことである。すなわち、本発明は、非圧縮データを用いて再生する再生モードから、圧縮データを伸長して再生する再生モードに切り替えて、再生しながら複数記録媒体（ＣＤ）のリッピングを行なうが、本発明の別の目的は、この再生モード切り換え時における再生音の不連続が発生しないようにすることである。
【課題を解決するための手段】
【０００７】
上記課題は本発明によれば、第１の記録媒体に記録されている非圧縮データを再生しながら該第１の記録媒体に記録されている非圧縮データを圧縮して第２の記録媒体に記録する記録再生方法により達成される。本発明の記録再生方法では、第１の記録媒体に記録されている非圧縮データの第２記録媒体への圧縮記録が完了したか監視し、圧縮記録が完了した時、非圧縮データを再生する第１再生モードから、第２の記録媒体に記録されている圧縮データを伸長して再生する第２再生モードに切り替え、第２の再生モードで再生しながら、別の第１の記録媒体に記録されている非圧縮データを第２の記録媒体に圧縮記録する。
また、本発明の記録再生方法では、第１再生モードから第２再生モードへの切り替えを、第1再生モードで再生中トラックの再生が完了したことを検出してから行なう。
また、本発明の記録再生方法では、再生モード切り換えに先立ってオーディオミュートを掛け、ＣＤのリッピングが完了したときＣＤを排出する。
【０００８】
また、上記課題は本発明によれば、第1の記録媒体に記録されている非圧縮データを再生しながら該第1の記録媒体に記録されている非圧縮データを圧縮して第２の記録媒体に記録する記録再生装置により達成される。本発明の記録再生装置は、第１の記録媒体に記録されている非圧縮データの第２記録媒体への圧縮記録が完了したか監視する手段、第２の記録媒体に記録されている圧縮データを読み出して伸長する手段、圧縮記録が完了した時、非圧縮データを再生する第１再生モードから、第２の記録媒体に記録されている圧縮データを伸長して再生する第２再生モードに切り替える再生モード切替手段、第１再生モード、第２再生モードで再生を行なう再生手段、を備えている。
本発明の再生モード切替手段は、圧縮記録が完了した後、前記第１再生モードによる再生中トラックの再生が完了したことを検出して再生モードの切り替えを行なう。
また、本発明の再生モード切替手段は、再生モード切り換えに先立ってオーディオミュートを掛け、圧縮記録完了出力手段は、圧縮記録が完了したとき、ＣＤを排出する。
【発明の効果】
【０００９】
本発明によれば、第１の記録媒体に記録されている非圧縮データの第２記録媒体への圧縮記録が完了したか監視し、圧縮記録が完了した時、非圧縮データを再生する第１再生モードから、第２の記録媒体に記録されている圧縮データを伸長して再生する第２再生モードに切り替え、第２の再生モードで再生しながら、別の第1の記録媒体に記録されている非圧縮データを第２の記録媒体に圧縮記録するようにしたから、リッピング済み記録媒体（ＣＤ）の再生を連続的に行ないながら複数記録媒体（ＣＤ）のリッピングを行なうことができる。
また、本発明によれば、第１再生モードから第２再生モードへの切り替えを、第1再生モードで再生中トラックの再生が完了したことを検出してから行なうようにしたから、再生モード切り換え時に音の不連続が発生しないようにできる。
また、本発明によれば、再生モード切り換えに先立ってオーディオミュートを掛けるようにしたから、再生モード切り換え時に切り替え音などの発生を確実になくすことができる。
また、本発明によれば、ＣＤのリッピングが完了したときＣDを排出することによりリッピング完了をユーザに通知することができる。
【発明を実施するための最良の形態】
【００１０】
図１は本発明の記録再生装置の構成図である。
ＣＤ １１1に記録されている非圧縮データはＮ倍速の高速で読み出されてハードディスク１２に記録され、圧縮処理に用いられる。高速読出し後、ＣＤプレーヤ１０はＣＤ １１1に記録されている非圧縮データを通常速度で読み出し、非圧縮データ出力部１３は該非圧縮データを取り込んでオーディオ回路１４に入力して再生する。以上と並行して圧縮／伸長部１５の圧縮部６１はハードディスク１２に記録されている非圧縮データ５１をＭＰ３圧縮データに圧縮してハードディスク１２に記録する。
ＣＰＵ(制御部)１６は、全非圧縮データのハードディスク１２への圧縮記録が完了したか監視し、圧縮記録が完了した時、再生モードを切り替える。すなわち、ＣＰＵ１６は、再生モードを、ＣＤから非圧縮データを読み出して再生する第１再生モードから、ハードディスク１２に記録されている圧縮データ５２を読み出し、伸長部６２で伸長して再生する第２再生モードに切り替える。しかる後、第２の再生モードで再生しながら、別のＣＤ１１2に記録されている非圧縮データを同様にハードディスク１２に圧縮記録する。
ＣＰＵ１６は、第１再生モードから第２再生モードへの切り替えを、第1再生モードで再生中のトラックの再生が完了したことを検出してから行なう。また、再生モード切り換えに先立ってオーディオミュートを掛け、ＣＤのリッピングが完了したとき表示部１７にリッピング完了を表示し、あるいは、図示しない音声部よりリッピング完了したことを音声で知らせ、また、ＣＤプレーヤ１０からＣＤを排出する。
【実施例１】
【００１１】
図１は本発明の記録再生装置の構成図であり、ＣＤプレーヤ１０はリッピング開始時、トレイに装着されたＣＤ１１1に記録されている全非圧縮データを高速度で再生してシステムバス２０に送出し、以後、通常の再生速度で非圧縮データを読み出してバス２０に送出する。大容量記録媒体であるハードディスク１２は、リッピング開始時にバスに高速で送出されたＣＤからの非圧縮データ５１を記録すると共に、圧縮部６１で圧縮してバスに送出される圧縮データ５２を記録する。
非圧縮データ出力部１３は第１再生モードにおいて、通常の再生速度でＣＤからＣＤプレーヤ１０により読み出された非圧縮データを取り込んでオーディオ回路１４に入力してスピーカ１９より再生出力する。
圧縮／伸長部１５の圧縮部６１はハードディスク１２に記録されている非圧縮データを読み出して圧縮して該ハードディスク１２に圧縮データ５２として記録する(リッピング)。伸長部６２は第２再生モードにおいて、ハードディスク１２に記録されている圧縮データ５２を読み出し、伸長してオーディオ回路１４に入力してスピーカ１９より再生出力する。
【００１２】
ＣＰＵ(制御部)１６は、各種制御を行なうと共に、ＣＤ１１1の非圧縮データのハードディスク１２への圧縮記録(リッピング)が完了したか監視し、リッピングが完了した時、再生モードを、非圧縮データを再生する第１再生モードから圧縮データを伸長して再生する第２再生モードに切り替える。すなわち、ＣＰＵ１６は、リッピング完了時に、ＣＤ１１1から読み出された非圧縮データを用いて再生する第１再生モードから、ハードディスク１２に記録された圧縮データ５２を読み出し、伸長部６２で伸長して再生する第２再生モードに切り替える。
表示部１７は各種操作指示、警報表示、リッピング完了などを表示する。操作部１８は各種操作を行なうと共にリッピング開始、終了指示等を入力する。
図１においてリッピングは、(1)音楽ＣＤ１１1から高速度で非圧縮の全オーディオデータをハードディスク１２に読出し、しかる後、(2)該非圧縮データを圧縮して得られたＭＰ３圧縮データをハードディスク１２に記録し、(3)該圧縮処理と並行して、音楽ＣＤ１１1から通常速度で音楽データを読み出しながら再生する(第1再生モード)。そして、(4) 音楽ＣＤ１１1のリッピングが完了すれば、再生モードを前述の第1再生モードからハードディスク１２に記録された圧縮データ５２を読み出して伸長して再生する第２再生モードに切り替え、(5) 音楽ＣＤ１１1の再生を継続しながら別の音楽ＣＤ１１2のリッピングをおこなう。
【００１３】
図２は本発明の再生モード切替制御のタイムチャートであり、ＣＤ１１1にＮ曲(トラック1〜トラックＮ)が記録されている。
時刻ｔ1において音楽ＣＤ１１1のリッピング完了する（C参照）。このリッピング完了時、ＣＤ１１1のトラック２を第1再生モードで再生中である（A参照）。本発明では、直ちに再生モードを切り替えずトラック２の再生完了を待つ。
以後、ＣＤ１１1の再生が進んでトラック２の再生が完了した時点ｔ２でミュートをオンし（B参照）、ついで、切り替えの準備が完了すれば、ミュートをオフすると共に(時刻ｔ3)、再生モードを第1再生モードから第2再生モードに切り替え、ハードディスク１２に記録されているトラック３のＭＰ３圧縮データを伸長して再生する。以後、次のＣＤ１１2のリッピングを行いながらＣＤ１１1の再生を継続する。
このようにすれば、リッピング完了したＣＤ１１1の再生を継続しながら次のＣＤ１１2のリッピングが可能になる。また、トラックの切れ目(曲間)で再生モードを切り替えると共に、ミュートを掛けるため、音楽が不連続にならない。
【００１４】
図３は本発明の記録再生処理フローである。
リッピングが指示されると、既に説明したようにＣＤ１１1の高速記録(リッピング)と該ＣＤ１１1の第１再生モードによるノーマル再生を行なう(ステップ１０１)。
ついで、リッピングが完了したか監視し(ステップ１０２)、リッピングが完了すれば、第１再生モードで再生中のトラックの再生が完了した監視し(ステップ１０３)、完了してなければ第１再生モードにおける再生を続行する(ステップ１０４)。
一方、トラックの再生が完了すれば、第１再生モードにおける再生を停止し（ステップ１０４）、ついで、ミュートオンし(ステップ１０５)、リッピング完了を音声、ディスプレイでユーザに通知すると共に、ディスクを排出する(ステップ１０６)。ついで、再生モード切替の準備完了を確認し(ステップ１０７)、ミュートを解除して(ステップ１０８)、再生モードを第1再生モードから第２再生モードに切り替える(ステップ１０９)。これにより、以後、ハードディスク１２に記録されているトラック３のＭＰ３圧縮データから伸長して再生し、該再生をしながら、次のＣＤ１１2のリッピングを行う。
なお、ＣＤ１１1の全データの再生が完了すれば、次のＣＤ１１2の第2再生モードによる再生を開始する。この場合、ＣＤ１１2のリッピングがまだ完了してなければ、ＣＤ１１2の第１再生モードによる再生を開始し、リッピング完了により上記と同様の再生モードの切替制御をおこなう。
以上では、第1の記録媒体をＣＤ、第2の記録媒体をハードディスクとした場合について説明したが、本発明はこれらの記録媒体に限定されるものではなく、種々の記録媒体を第１、第２記録媒体として用いることができる。
【図面の簡単な説明】
【００１５】
【図１】本発明の記録再生装置の構成図である。
【図２】本発明の再生モード切替制御のタイムチャートである。
【図３】本発明の記録再生処理フローである。
【符号の説明】
【００１６】
１０  CDプレーヤ
１１1  CD
１２  ハードディスク
１３  非圧縮データ出力部
１４  オーディオ回路
１５  圧縮／伸長部
１６  ＣＰＵ(制御部)
１７  表示部
１８  操作部
６１  圧縮部
６２  伸長部
【図１】
2005228391.tif 000003
【図２】
2005228391.tif 000004
【図３】
2005228391.tif 000005